(57)【要約】【課題】来期用のハガキや封書に印刷する宛名を適切に管理し、ユーザによる宛名選択の負担を軽減する。【解決手段】年賀状に印刷済みの宛名であることを示す印刷記録フラグＦ１が値１で且つ受け取った年賀状の差出人の宛名であることを示す受取記録フラグＦ２が値１となったときに、来期も印刷すべき宛名であることを示す来期印刷フラグＦ０を値１にセットすると共に印刷記録フラグＦ１と受取記録フラグＦ２とを共に値０にリセットする。これにより、ユーザは、宛名選択画面において、来期に印刷する宛名を住所録から１つずつ選択する必要がなく、ユーザの宛名選択の負担を大幅に軽減することができる。【選択図】図１
2010120246.tif 000002
【特許請求の範囲】
【請求項１】
データを記憶する記憶手段が接続される印刷装置に組み込まれ、定期的にやり取りするハガキや封書に印刷する宛名を管理する宛名管理装置であって、
ユーザの操作に伴って、受け取ったハガキや封書の宛名を受取記録として入力して前記記憶手段に記憶する受取記録入力手段と、
前記記憶手段に記憶された宛名がハガキや封書に印刷された場合に、該宛名に対して印刷記録を設定する印刷記録設定手段と、
前記記憶手段に記憶されている宛名のうち前記受取記録と前記印刷記録の両方が設定された宛名を来期にハガキや封書に印刷すべき宛名である来期用宛名に設定する来期用宛名設定手段と、
を備える宛名管理装置。
【請求項２】
請求項１記載の宛名管理装置であって、
前記来期用宛名設定手段により前記来期用宛名が設定されたとき、該来期用宛名が設定された宛名に対して前記受取記録と前記印刷記録とをリセットする記録リセット手段を備え、
前記来期宛名設定手段は、前記受取記録と前記印刷記録とがリセットされた前記来期用宛名に設定されている宛名に対して来期に前記印刷記録が設定されたが前記受取記録が設定されなかったときには該宛名を前記来期用宛名から除外する手段である
宛名管理装置。
【請求項３】
請求項１または２記載の宛名管理装置であって、
前記来期用宛名設定手段により前記来期用宛名が設定されたとき、該来期用宛名が設定された宛名に対して前記受取記録と前記印刷記録とをリセットする記録リセット手段を備え、
前記来期宛名設定手段は、前記受取記録と前記印刷記録とがリセットされた前記来期用宛名に設定されている宛名に対して来期に前記受取記録が設定されたが前記印刷記録が設定されなかったときには該宛名を前記来期用宛名から除外する手段である
宛名管理装置。
【請求項４】
請求項１ないし３いずれか１項に記載の宛名管理装置であって、
前記印刷装置は、表示手段を備え、
所定のタイミングでユーザに対して前記受取記録の入力操作を促すための警告表示を前記表示手段に表示する表示制御手段
を備える宛名管理装置。
【請求項５】
１または複数のコンピュータを、請求項１ないし４いずれか１項に記載の宛名管理装置として機能させるためのプログラム。
【発明の詳細な説明】
【技術分野】
【０００１】
本発明は、宛名管理装置およびプログラムに関し、詳しくは、印刷装置に組み込まれると共にデータを記憶する記憶手段に接続され、定期的にやり取りするハガキや封書の宛名を管理する宛名管理装置および１または複数のコンピュータを宛名管理装置として機能させるためのプログラムに関する。
【背景技術】
【０００２】
従来、この種の宛名管理装置としては、住所，氏名，電話番号などの個人情報のデータベースを管理するものが提案されている（例えば、特許文献１参照）。この装置では、印刷装置に接続され、個人情報に対して年賀状を郵送しないことを意味する欠礼マークを付与できるようになっており、欠礼マークを付与した個人情報については年賀の印刷は行なわない。なお、欠礼マークは、年を越すと、自動的に削除されるようになっている。
【特許文献１】特開平１０−２４０７４０号公報
【発明の開示】
【発明が解決しようとする課題】
【０００３】
しかしながら、上述した宛名管理装置では、欠礼マークによる特殊な場合における住所録の管理を行なうことができるものの、定期的に郵送する通常の場合における住所録の管理については考慮されていない。例えば、来期に年賀状を郵送する個人は今期に年賀状を受け取ったか否かや年賀状を郵送したかによって変わることも多く、その管理は、特に、取り扱う宛名の数が多いときにユーザにとって大きな負担となる。
【０００４】
本発明の宛名管理装置およびプログラムは、来期にハガキや封書に印刷する宛名をより適切に管理してユーザによる宛名選択の負担を軽減することを主目的とする。
【課題を解決するための手段】
【０００５】
本発明の宛名管理装置およびプログラムは、上述の主目的を達成するために以下の手段を採った。
【０００６】
本発明の宛名管理装置は、
データを記憶する記憶手段が接続される印刷装置に組み込まれ、定期的にやり取りするハガキや封書に印刷する宛名を管理する宛名管理装置であって、
ユーザの操作に伴って、受け取ったハガキや封書の宛名を受取記録として入力して前記記憶手段に記憶する受取記録入力手段と、
前記記憶手段に記憶された宛名がハガキや封書に印刷された場合に、該宛名に対して印刷記録を設定する印刷記録設定手段と、
前記記憶手段に記憶されている宛名のうち前記受取記録と前記印刷記録の両方が設定された宛名を来期にハガキや封書に印刷すべき宛名である来期用宛名に設定する来期用宛名設定手段と、
を備えることを要旨とする。
【０００７】
この本発明の宛名管理装置では、ユーザの操作に伴って受け取ったハガキや封書の宛名を受取記録として入力して記憶手段に記憶し、記憶手段に記憶された宛名がハガキや封書に印刷された場合にこの宛名に対して印刷記録を設定し、記憶手段に記憶されている宛名のうち受取記録と印刷記録の両方が設定された宛名を来期にハガキや封書に印刷すべき宛名である来期用宛名に設定する。即ち、ユーザがハガキや封書を送ると共に返信を受けた個人（宛名）に対しては来期もハガキや封書を送る個人として設定することにより、来期にハガキや封書に印刷する宛名をより適切に管理することができ、ユーザが来期にハガキや封書に印刷すべき宛名を１つずつ選択する手間が省けてユーザの宛名選択の負担を軽減することができる。
【０００８】
こうした本発明の宛名管理装置において、前記来期用宛名設定手段により前記来期用宛名が設定されたとき、該来期用宛名が設定された宛名に対して前記受取記録と前記印刷記録とをリセットする記録リセット手段を備え、前記来期宛名設定手段は、前記受取記録と前記印刷記録とがリセットされた前記来期用宛名に設定されている宛名に対して来期に前記印刷記録が設定されたが前記受取記録が設定されなかったときには該宛名を前記来期用宛名から除外する手段であるものとすることもできる。こうすれば、別途時計を実装することなく、各期に印刷する宛名の管理をより適切に行なうことができる。
【０００９】
また、本発明の宛名管理装置において、前記来期用宛名設定手段により前記来期用宛名が設定されたとき、該来期用宛名が設定された宛名に対して前記受取記録と前記印刷記録とをリセットする記録リセット手段を備え、前記来期宛名設定手段は、前記受取記録と前記印刷記録とがリセットされた前記来期用宛名に設定されている宛名に対して来期に前記受取記録が設定されたが前記印刷記録が設定されなかったときには該宛名を前記来期用宛名から除外する手段であるものとすることもできる。こうすれば、別途時計を実装することなく、各期に印刷する宛名の管理をより適切に行なうことができる。
【００１０】
さらに、本発明の宛名管理装置において、前記印刷装置は、表示手段を備え、所定のタイミングでユーザに対して前記受取記録の入力操作を促すための警告表示を前記表示手段に表示する表示制御手段を備えるものとすることもできる。
【００１１】
本発明のプログラムは、１または複数のコンピュータを、上述した各態様のいずれかの本発明の宛名管理装置、即ち、基本的には、データを記憶する記憶手段が接続される印刷装置に組み込まれ、定期的にやり取りするハガキや封書に印刷する宛名を管理する宛名管理装置であって、ユーザの操作に伴って受け取ったハガキや封書の宛名を受取記録として入力して前記記憶手段に記憶する受取記録入力手段と、前記記憶手段に記憶された宛名がハガキや封書に印刷された場合に該宛名に対して印刷記録を設定する印刷記録設定手段と、前記記憶手段に記憶されている宛名のうち前記受取記録と前記印刷記録の両方が設定された宛名を来期にハガキや封書に印刷すべき宛名である来期用宛名に設定する来期用宛名設定手段と、を備える宛名管理装置として機能させることを要旨とする。
【００１２】
この本発明のプログラムによれば、本発明の宛名管理装置が奏する効果、例えば、来期にハガキや封書に印刷する宛名をより適切に管理することができ、ユーザの宛名選択の負担を軽減することができる効果などを奏することができる。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。
【発明を実施するための最良の形態】
【００１３】
次に、本発明を実施するための最良の形態を図面を用いて説明する。図１は、本発明の画像処理装置の一実施形態であるマルチファンクションプリンタ１０の概略構成を示す外観図及びブロック図である。
【００１４】
本実施形態のマルチファンクションプリンタ１０は、図１に示すように、印刷ジョブに基づいて用紙Ｓへの印刷を実行するプリンタユニット２０と、ガラス台３６に載置された書類を読み取るスキャナユニット３０と、メモリカードスロット４０に挿入されたメモリカード４２との間でデータの入出力を行うメモリカードコントローラ４４と、各種情報を表示部５２に表示したりユーザの指示をボタン類５４の操作を介して入力したりする操作パネル５０と、装置全体の制御を司るメインコントローラ６０とを備えている。このマルチファンクションプリンタ１０は、プリンタユニット２０やスキャナユニット３０，メモリカードコントローラ４４，メインコントローラ６０がバス１２を介して各種制御信号やデータのやり取りができるよう構成されている。
【００１５】
プリンタユニット２０は、プリンタＡＳＩＣ２２とプリンタエンジン２４とを備えている。プリンタＡＳＩＣ２２は、プリンタエンジン２４を制御する集積回路であり、メインコントローラ６０から印刷指令を受けると、その印刷指令の対象となる画像ファイルに基づいて用紙Ｓに印刷するようプリンタエンジン２４を制御する。また、プリンタエンジン２４は、印刷ヘッドから用紙へインクを吐出することにより印刷を行う周知のインクジェット方式のカラープリンタ機構として構成されている。なお、ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略である。
【００１６】
スキャナユニット３０は、スキャナＡＳＩＣ３２とスキャナエンジン３４とを備えている。スキャナＡＳＩＣ３２は、スキャナエンジン３４を制御する集積回路であり、メインコントローラ６０からのスキャン指令を受けると、ガラス台３６に載置された書類を画像データとして読み取るようスキャナエンジン３４を制御する。また、スキャナエンジン３４は、周知のイメージスキャナとして構成され、書類に向かって発光したあとの反射光をレッド（Ｒ）、グリーン（Ｇ）、ブルー（Ｂ）の各色に分解してスキャンデータとする周知のカラーイメージセンサを備えている。
【００１７】
メモリカードコントローラ４４は、操作パネル５０の横に備えられているメモリカードスロット４０に挿入されたメモリカード４２との間でデータの入出力を行うものである。このメモリカードコントローラ４４は、メモリカードスロット４０にメモリカード４２が接続されているとき、メモリカード４２に保存されているファイルを読み出してメインコントローラ６０に送信したりメインコントローラ６０からの命令を入力し該命令に基づいてメモリカード４２にデータを書き込んだりする。
【００１８】
操作パネル５０は、表示部５２とボタン類５４とを備えている。表示部５２は、液晶ディスプレイであり、各種モードの選択や印刷の設定、印刷プレビュー画面などを表示する。ボタン類５４は、各種モードの選択や各種設定時などに操作される矢印キー５６や各種操作を決定するための決定ボタン、画像の印刷を実行するときに押下されるスタートボタン５８、電源のオンオフを行うときに操作される電源ボタンなどからなり、内部通信インタフェース６９を介してメインコントローラ６０にユーザの指示を入力できるようになっている。ここで、選択可能な各種モードとしては、メモリカード４２に保存された画像を選択してそれぞれ印刷する印刷モードやガラス台３６に載置された書類を読み取って画像データとしてメモリカード４２に保存するスキャンモード、書類を読み取ってコピーするコピーモードなどがある。ここで、印刷モードには、メモリカード４２に保存された画像を印刷する通常の画像印刷モードの他、メモリカード４２に保存された住所録から宛名を読み取ってハガキや封筒の宛名面に印刷するための宛名印刷モードも備えている。また、スキャンモードには、ユーザが受け取ったハガキや封筒の宛名面に記載された宛名（文字）を光学的に読み取る受取記録入力モードも備えている。
【００１９】
メインコントローラ６０は、ＣＰＵ６２を中心とするマイクロプロセッサとして構成されており、各種処理プログラムや各種データ、各種テーブルなどを記憶したＲＯＭ６４と、一時的にスキャンデータや印刷用データなどを記憶するＲＡＭ６６と、電気的に書き換え可能で電源を切ってもデータは保持されるフラッシュメモリ６８と、操作パネル５０との通信を可能とする内部通信インタフェース６９とを備え、これらはバス１２を介して互いに信号のやり取りが可能なように接続されている。このメインコントローラ６０は、プリンタユニット２０やスキャナユニット３０，メモリカードコントローラ４４からの各種動作信号や各種検出信号を入力したり、操作パネル５０のボタン類５４の操作に応じて発生する操作信号を入力したりする。また、メモリカード４２から画像データを読み出してメインコントローラ６０へ出力する指令をメモリカードコントローラ４４に出力したり、画像の印刷を実行するようプリンタユニット２０に指令を出力したり、操作パネル５０のボタン類５４のスキャン指令に基づいてガラス台３６に載置された書類を読み取るようスキャナユニット３０に指令を出力したり、操作パネル５０に表示部５２の制御指令を出力したりする。
【００２０】
次に、こうして構成された本実施形態のマルチファンクションプリンタ１０の動作、特に、メモリカード４２に保存されている住所録から選択された宛名をハガキや封筒の宛名面に印刷する宛名印刷モード時の動作と、受け取ったハガキや封書の差出人の宛名を受取記録として入力する受取記録入力モード時の動作について説明する。まず、宛名印刷モード時の動作について説明する。図２は、メインコントローラ６０により実行される宛名印刷処理ルーチンの一例を示すフローチャートである。この処理は、メモリカードスロット４０にメモリカード４２が挿入されると共に動作モードとして印刷モードの宛名印刷モードが選択されたときに実行される。以下、年賀ハガキの宛名面に宛名印刷する場合を例にとって説明する。
【００２１】
宛名印刷処理が実行されると、メインコントローラ６０は、まず、メモリカード４２に保存されている住所録から印刷する宛名を選択する宛名選択処理を実行し（ステップＳ１００）、選択した宛名をプリンタユニット２０にセットされたハガキの宛名面に印刷する宛名面印刷を行なう（ステップＳ１１０）。ここで、宛名選択処理は、図３に例示する宛名選択画面７０を用いて行なわれる。宛名選択画面７０は、図示するように、画面上に一覧として表示されている各宛名には対応するチェックボックス７２が配置されており、矢印キー５６の上下キーの操作により所望の宛名に合わせて、矢印キー５６の右キーを押下することによりチェックを入れて印刷する宛名として選択することができ、左キーを押下することによりチェックを外して印刷しない宛名として選択することができる。また、宛名選択画面７０には、各宛名に対応して来期印刷の欄が設けられており、「○」は来期印刷が設定された宛名を示しデフォルトでチェックボックス７２にチェックが入っており、「×」は来期印刷が設定されていない宛名を示しデフォルトでチェックボックス７２のチェックが外れている。ユーザは、来期印刷が設定されている宛名に対して矢印キー５６の操作によりチェックボックス７２のチェックを外すことにより印刷しない宛名に変更することができ、来期印刷が設定されていない宛名に対して矢印キー５６の操作によりチェックボックス７２のチェックを入れることにより印刷する宛名に変更することができる。なお、宛名面印刷は、各宛名に対してチェックボックス７２にチェックを入れたり外したりして印刷する宛名を選択した後にスタートボタン５８を押下することにより開始される。
【００２２】
こうして宛名面印刷を行なうと、印刷済みの宛名に対して印刷済みであることを示す印刷記録フラグＦ１に値１をセットし（ステップＳ１２０）、印刷済みの宛名に割り当てられている記録（フラグ）のチェックを行なう（ステップＳ１３０）。ここで、フラグは、前述した印刷記録フラグＦ１の他に、来期印刷を設定する宛名か否かを示す来期印刷フラグＦ０と過去に年賀ハガキを受け取った宛名であるか否かを示す受取記録フラグＦ２とがあり、後述するステップＳ１５０やステップＳ１８０の処理で設定されたり、後述する受取記録入力処理で設定されたりする。ステップＳ１３０の処理は、上述したフラグＦ０，Ｆ１，Ｆ２の値を調べる処理となる。来期印刷フラグＦ０が値０でないとき即ち値１のときには（ステップＳ１４０）、来期印刷フラグＦ０を値０にリセットすると共に（ステップＳ１５０）、受取記録フラグＦ２を値０にリセットして（ステップＳ１６０）、本処理を終了する。一方、来期印刷フラグＦ０が値０のときには（ステップＳ１４０）、さらに、受取記録フラグＦ２が値１でない即ち値０のときには（ステップＳ１７０）、フラグＦ０，Ｆ１，Ｆ２の設定を変更することなく本処理を終了し、受取記録フラグＦ２が値１のときには（ステップＳ１７０）、来期印刷フラグＦ０に値１をセットすると共に（ステップＳ１８０）、印刷記録フラグＦ１と受取記録フラグＦ２とを共に値０にリセットして（ステップＳ１９０）、本処理を終了する。
【００２３】
次に、受取記録入力モード時の動作について説明する。図４は、メインコントローラ６０により実行される受取記録入力処理の一例を示すフローチャートである。この処理は、動作モードとしてスキャンモードの受取記録入力モードが選択されたときに実行される。
【００２４】
受取記録入力処理では、メインコントローラ６０は、まず、ユーザの操作を伴ってユーザが受け取った年賀ハガキの差出人の宛名を受取記録として入力する受取記録入力処理を行なう（ステップＳ２００）。この処理は、本実施形態では、スキャナユニット３０が備えるＯＣＲ（Optical Character Recognition）機能を用いて年賀ハガキの差出人の宛名部分を読み取ることにより行なうものとした。図５に、受取記録入力処理に用いる受取記録入力画面８０の一例を示す。受取記録入力画面８０では、図示するように、動作モードをスキャナモードの受取記録入力モードに設定し、受け取った年賀ハガキを宛名面を下に向けてガラス台３６に載置すると共にスタートボタン５８を押下することにより、年賀ハガキ８２の宛名面が画面上に表示されるようになっており、図中点線で示した読み取り枠８４が差出人の宛名部分に収まるように矢印キー５６の上下左右キーを操作し、決定ボタンを押下することにより読み取った宛名部分の文字を読み取る。
【００２５】
こうして受取記録を入力すると、入力した宛名を住所録としてメモリカード４２に保存すると共にこの宛名に対して受取済みであることを示す受取記録フラグＦ２に値１をセットし（ステップＳ２１０）、受取済みの宛名に割り当てられている記録のチェック（来期印刷フラグＦ０や印刷フラグＦ１の値のチェック）を行なう（ステップＳ２２０）。来期印刷フラグＦ０が値０でないとき即ち値１のときには（ステップＳ２３０）、来期印刷フラグＦ０を値０にリセットして（ステップＳ２４０）、本処理を終了する。一方、来期印刷フラグＦ０が値０のときには（ステップＳ２３０）、さらに、印刷記録フラグＦ１が値１でない即ち値０のときには（ステップＳ２５０）、フラグＦ０，Ｆ１，Ｆ２の設定を変更することなく本処理を終了し、印刷記録フラグＦ１が値１のときには（ステップＳ２５０）、来期印刷フラグＦ０に値１をセットすると共に（ステップＳ２６０）、印刷記録フラグＦ１と受取記録フラグＦ２とを共に値０にリセットして（ステップＳ２７０）、本処理を終了する。
【００２６】
こうした宛名印刷処理と受取記録入力処理では、印刷記録フラグＦ１と受取記録フラグＦ２とが共に値１となったときに来期印刷フラグＦ０が値１にセットされると共に印刷記録フラグＦ１と受取記録フラグＦ２とが共に値０にリセットされ、印刷記録フラグＦ１と受取記録フラグＦ２のいずれか一方が値１にセットされたときに来期印刷フラグＦ０が値０にリセットされる処理となる。言い換えれば、例えば、今期にＡさんに年賀状を送り且つこちらに返信があったときに来期もＡさんに年賀状を送る設定をし、今期にＡさんに年賀状を送ったがこちらに年賀の返信がなかったときや今期にＡさんに年賀状を送らなかったがＡさんからは年賀状が届いたときには来期にＡさんに年賀状を送らないように設定するのである。さらに、宛名印刷処理と受取記録入力処理では、年度毎にフラグＦ０〜Ｆ２をリセットしないから、例えば、今期にＡさんに年賀状を送ったが（印刷記録フラグＦ１が値１）こちらに年賀の返信がなかったとき（受取記録フラグＦ２が値０）には一旦来期に年賀状を送らない設定とする（印刷フラグＦ０を値０とする）が、来期以降にＡさんから改めて年賀状が届いたときには（受取記録フラグＦ２が値１）来期に年賀状を送る設定をする（印刷フラグＦ０を値１とする）ものとなり、年度に囚われない履歴管理を行なうことができる。これは、喪中や相手方の何らかの都合により一時的に疎遠となったときでも、どこかのタイミングで年賀状のやり取りを再開させることにも有用なものとなる。
【００２７】
ここで、本実施形態の構成要素と本発明の構成要素との対応関係を明らかにする。本実施形態のメモリカード４２が本発明の「記憶手段」に相当し、図４の受取記録入力処理のステップＳ２００，Ｓ２１０の処理を実行するメインコントローラ６０が「受取記録入力手段」に相当し、図２の宛名印刷処理のステップＳ１２０の処理を実行するメインコントローラ６０が「印刷記録設定手段」に相当し、宛名印刷処理のステップＳ１３０〜Ｓ１８０の処理や受取記録入力処理のステップＳ２２０〜Ｓ２６０の処理を実行するメインコントローラ６０が「来期用宛名設定手段」に相当する。また、宛名印刷処理のステップＳ１９０の処理や受取記録入力処理のステップＳ２７０の処理を実行するメインコントローラ６０が「記録リセット手段」に相当する。
【００２８】
以上詳述した本実施形態のマルチファンクションプリンタ１０によれば、年賀状に印刷済みの宛名であることを示す印刷記録フラグＦ１が値１で且つ受け取った年賀状の差出人の宛名であることを示す受取記録フラグＦ２が値１となったときに、来期も印刷すべき宛名であることを示す来期印刷フラグＦ０を値１にセットすると共に印刷記録フラグＦ１と受取記録フラグＦ２とを共に値０にリセットするから、ユーザは、宛名選択画面７０において、来期に印刷する宛名を住所録から１つずつ選択する必要がなく、ユーザの宛名選択の負担を大幅に軽減することができる。しかも、来期印刷フラグＦ０が値１にセットされたときに印刷記録フラグＦ１と受取記録フラグＦ２とを共に値０にリセットし、印刷記録フラグＦ１か受取記録フラグＦ２かのいずれか一方しか値１にセットされなかったときには来期印刷フラグＦ０を値０にリセットするから、来期用の印刷の停止をより適切なタイミングで行なうことができる。さらに、来期印刷フラグＦ０が値０のときに印刷記録フラグＦ１か受取記録フラグＦ２かのいずれか一方しか値１にセットされていない場合でも、他方のフラグが値１にセットされた段階で来期印刷フラグＦ０を値１にセットするから、来期用の印刷の再開もより適切なタイミングで行なうことができる。また、上述したフラグＦ０，Ｆ１，Ｆ２は、年度毎に管理しないから、年度に囚われない履歴管理が可能となる。
【００２９】
本実施形態では、印刷記録フラグＦ１と受取記録フラグＦ２とが共に値１のときに来期印刷フラグＦ０を値１にセットした後に印刷記録フラグＦ１と受取記録フラグＦ２とを共に値０にリセットするものとし、この状態から印刷記録フラグＦ１と受取記録フラグＦ２のいずれか一方が値１にセットされたときに来期印刷フラグＦ０を値０にリセットするものとしたが、一旦来期印刷フラグＦ０が値１にセットされると、印刷記録フラグＦ１が値１にセットされ且つ受取記録フラグＦ２が値０のときには来期印刷フラグＦ０を値０にリセットするが印刷記録フラグＦ１が値０で且つ受取記録フラグＦ２が値１にセットされたときには来期印刷フラグＦ０を値１のまま保持するものとしてもよいし、印刷記録フラグＦ１が値０で且つ受取記録フラグＦ２が値１にセットされたときには来期印刷フラグＦ０を値０にリセットするが印刷記録フラグＦ１が値１にセットされ且つ受取記録フラグＦ２が値０のときには来期印刷フラグＦ０を値１のまま保持するものとしてもよい。
【００３０】
本実施形態では、スキャナユニット３０が備えるＯＣＲ（Optical Character Recognition）機能を用いて受け取った年賀ハガキの差出人の宛名を受取記録として入力するものとしたが、プリンタ１０に例えばキーボード（タッチパネルも含む）を備えるものとしてキーボードを介して受取記録を入力するものとしてもよい。
【００３１】
本実施形態では、受取記録の入力タイミングはユーザの自主性にゆだねるものとしたが、ユーザに受取記録の入力を促すための警告表示を行なうものとしてもよい。この場合、マルチファンクションプリンタ１０に計時機構を備える必要がある。図６は、メインコントローラ６０により実行される警告処理の一例を示すフローチャートである。この処理は、例えば、電源ボタンがオンされたときに実行される。警告処理では、メインコントローラ６０は、今期の受取記録が入力済みであるか否かを判定する（ステップＳ３００）。この判定は、基準日（例えば、年賀ハガキの場合を例にとると、年明け）から今までに図４の受取記録入力処理が実行されたか否かを調べることにより行なうことができる。今期の受取記録が入力済みでないときには、現在の日付を入力し（ステップＳ３１０）、前述した基準日から所定期間（例えば、１２月初旬など）を経過しているか否かを判定し（ステップＳ３２０）、経過しているときには、アラート表示を行なう（ステップＳ３３０）。図７に、アラート表示画面９０の一例を示す。アラート表示画面９０は、図示するように、エクスクラメーションマークと共に「今期分の年賀状の受取記録が入力されていません。受取記録を入力しますか？」などのメッセージを表示するものとして構成されており、「はい」と「いいえ」とのうちのいずれかに矢印キー５６の左右キーでカーソル９２を位置合わせして決定ボタンを押下することによりメッセージに対する回答を選択することができる。「はい」が選択されると（ステップＳ３４０）、図４の受取記録入力処理を実行するための受取記録入力モードに移行して（ステップＳ３５０）、本処理を終了する。なお、ステップＳ３００で受取記録が入力済みと判定されたり、ステップＳ３２０で基準日から所定時間が経過していないと判定されたり、ステップＳ３４０で「いいえ」が選択されたときには、これで本処理を終了する。
【００３２】
本実施形態では、本発明の宛名管理装置の形態として説明したが、１または複数のコンピュータを本発明の宛名管理装置として機能させるためのプログラムの形態とするものとしてもよい。
【００３３】
以上、本発明の実施形態について説明したが、本発明は上述した実施形態に何ら限定されることはなく、本発明の技術的範囲に属する限り種々の態様で実施し得ることは勿論である。
【図面の簡単な説明】
【００３４】
【図１】マルチファンクションプリンタ１０の外観図及びブロック図。
【図２】宛名印刷処理の一例を示すフローチャート。
【図３】宛名選択画面７０の一例を示す説明図。
【図４】受取記録入力処理の一例を示すフローチャート。
【図５】受取記録入力画面８０の一例を示す説明図。
【図６】警告処理の一例を示すフローチャート。
【図７】アラート画面９０の一例を示す説明図。
【符号の説明】
【００３５】
１０  マルチファンクションプリンタ、１２  バス、２０  プリンタユニット、２２  プリンタＡＳＩＣ、２４  プリンタエンジン、３０  スキャナユニット、３２  スキャナＡＳＩＣ、３４  スキャナエンジン、３６  ガラス台、４０  メモリカードスロット、４２  メモリカード、４４  メモリカードコントローラ、５０  操作パネル、５２  表示部、５４  ボタン類、５６  矢印キー、５８  スタートボタン、６０  メインコントローラ、６２  ＣＰＵ、６４  ＲＯＭ、６６  ＲＡＭ、６８  フラッシュメモリ、６９  内部通信インタフェース、７０  宛名選択画面、７２  チェックボックス、８０  受取記録入力画面、８２  年賀ハガキ、８４  読み取り枠、９０  アラート表示画面、９２  カーソル、Ｓ  用紙。
【図１】
2010120246.tif 000003
【図２】
2010120246.tif 000004
【図３】
2010120246.tif 000005
【図４】
2010120246.tif 000006
【図５】
2010120246.tif 000007
【図６】
2010120246.tif 000008
【図７】
2010120246.tif 000009